(57)【要約】【課題】係合溝と係合壁との間に接着剤が充填される回路基板収容ケースにおいて、接着剤の偏在を抑制することができる回路基板収容ケースを提供する。【解決手段】回路基板収容ケース１は、開口部５ａを有するケース本体５と、ケース本体５の開口部５ａを閉塞する蓋体６とを備え、ケース本体５には、開口部５ａの周縁に沿って係合溝５５が設けられ、蓋体６には、係合溝５５に挿入される係合壁６５が立設され、係合壁６５の周方向断面形状は、係合壁６５の厚さの中心を通る中心線Ｌ３の外側と内側とで非対称である。【選択図】図５
2018116953.tif 000002
【特許請求の範囲】
【請求項１】
回路基板が収容される回路基板収容ケースであって、
開口部を有する第１分割ケースと、前記第１分割ケースの前記開口部を閉塞する第２分割ケースとが備えられ、
前記第１分割ケースには、前記開口部の周縁に沿って係合溝が設けられ、
前記第２分割ケースには、前記係合溝に挿入される係合壁が立設され、
前記係合壁の周方向断面形状は、前記係合壁の厚さの中心を通る中心線の外側と内側とで非対称である
回路基板収容ケース。
【請求項２】
前記係合壁は、互いに先端部の高さが異なる両側の側面と、前記両側の側面の各々の前記先端部の間に連接された傾斜面とを有する
請求項１に記載の回路基板収容ケース。
【請求項３】
前記係合壁は、前記係合壁における両側の側面の各々と先端部との間の各連接部分のうち、一方の連接部分が、他方の連接部分よりも相対的に凹んだ傾斜面に形成された
請求項１に記載の回路基板収容ケース。
【請求項４】
前記傾斜面の先端部は、前記係合壁の厚さの中心よりも、前記他方の連接部分の側に配置されている
請求項３に記載の回路基板収容ケース。
【請求項５】
前記係合壁は、前記係合溝の両側の側面のうち前記傾斜面に面する側面の側に傾斜又は位置ずれしている
請求項２から請求項４のうちの一項に記載の回路基板収容ケース。
【請求項６】
前記係合溝の両側の側面の各々の先端部は、互いに異なる高さに形成された
請求項１から請求項５のうちの一項に記載の回路基板収容ケース。
【請求項７】
前記第１分割ケースの前記周縁において、前記係合溝よりも外側の外側部分及び内側の内側部分の各々の高さは、互いに異なり、
前記係合壁は、前記第２分割ケースにおいて、前記第１分割ケースの前記周縁に対応する対応部分に設けられ、
前記第２分割ケースの前記対応部分において、前記係合壁よりも外側の外側部分及び内側の内側部分の各々の高さは、前記第１分割ケースの前記外側部分及び前記内側部分の各々の高さに応じて互いに異なる
請求項１から請求項６のうちの一項に記載の回路基板収容ケース。
【発明の詳細な説明】
【技術分野】
【０００１】
この発明は、回路部品（例えば車載用レーダー）が実装された回路基板を収容する回路基板収容ケースに関する。
【背景技術】
【０００２】
従来の回路基板収容ケース（例えば特許文献１）は、第１分割ケース及び第２分割ケースで構成されている。第１分割ケースの周縁には、係合溝が設けられ、第２分割ケースの周縁には、上記の係合溝に挿入される係合壁が設けられている。
【０００３】
第１分割ケース及び第２分割ケースは、上記の係合溝に接着剤が充填された状態で、互いに組み付けられる。この組付状態では、係合溝に充填された接着剤が、係合溝と係合壁との間の隙間全体に行き渡って、係合溝と係合壁とを互いに固定すると共に係合溝と係合壁との間の隙間を封止する。
【０００４】
しかしながら、従来の回路基板収容ケースでは、寸法公差や組付誤差などにより、係合溝と係合壁との間の相対的な配置に位置ずれが生じたり、係合壁が係合溝に対して傾いて挿入される場合がある。この結果、係合壁が係合溝に挿入されるとき、係合溝と係合壁との間の隙間で接着剤が流動し難くなる部分が生じる。そして、係合溝と係合壁との間の隙間で接着剤が偏在することで、第１分割ケースと第２分割ケースとの合わせ目から接着剤がはみ出す場合がある。
【先行技術文献】
【特許文献】
【０００５】
【特許文献１】特開２０１１−２０１３４８号公報
【発明の概要】
【発明が解決しようとする課題】
【０００６】
そこで、この発明は、係合溝と係合壁との間に接着剤が充填される回路基板収容ケースにおいて、接着剤の偏在を抑制することができる回路基板収容ケースを提供することにある。
【課題を解決するための手段】
【０００７】
この発明は、回路基板が収容される回路基板収容ケースであって、開口部を有する第１分割ケースと、前記第１分割ケースの前記開口部を閉塞する第２分割ケースとが備えられ、前記第１分割ケースには、前記開口部の周縁に沿って係合溝が設けられ、前記第２分割ケースには、前記係合溝に挿入される係合壁が立設され、前記係合壁の周方向断面形状は、前記係合壁の厚さの中心を通る中心線の外側と内側とで非対称である回路基板収容ケースである。  
なお、周方向断面形状とは、周方向に直交する断面の断面形状である。
【０００８】
この発明により、係合壁の周方向断面形状は、係合壁の厚さの中心を通る中心線の外側と内側とで非対称であるため、係合壁の周方向断面形状において、中心線の外側及び内側の各々の断面形状部分を互いに異なる形に形成でき、これにより、係合溝と係合壁との間の隙間全体のうち、中心線よりも外側の隙間及び内側の隙間の各々の大きさを、互いに独立に調整することができる。
【０００９】
従って、上記の中心線よりも外側の隙間及び内側の隙間のうち、接着剤が相対的に流動し易い方の隙間の大きさを維持して、接着剤が相対的に流動し難い方の隙間を、接着剤が十分に流動できる大きさに調整することができる。  
この結果、係合壁が係合溝に挿入されたとき、係合溝に充填された接着剤を、上記の中心線よりも外側の隙間及び内側の隙間の両方に行き渡らせることができる。換言すれば、上記の中心線よりも外側の隙間及び内側の隙間のうちの一方の隙間に接着剤が偏在することを抑制でき、当該一方の隙間から外部に接着剤がはみ出すことを抑制することができる。
【００１０】
また、上記のように、係合壁の周方向断面形状における中心線の外側及び内側の各々の断面形状部分のうち、一方側の断面形状部分だけを独立して適切な形に形成できるため、係合壁の強度の低下を抑制することができる。
【００１１】
この発明の態様として、前記係合壁は、互いに先端部の高さが異なる両側の側面と、前記両側の側面の各々の前記先端部の間に連接された傾斜面とを有してもよい。  
なお、上記の傾斜面は、平面であっても湾曲面であってもよい。また、係合壁の両側の側面の各々の先端部と傾斜面との連接は、直接的な連接であっても、面取り面などを介した間接的な連接であってもよい。  
【００１２】
この発明により、係合壁の両側の側面の各々の先端部の高さが互いに異なるため、それら各先端部の間に連接された傾斜面は、それら各先端部のうち、高い方の先端部側から低い方の先端部側に傾斜している。従って、係合壁が係合溝に挿入されたとき、係合溝の両側の側面の各々と係合壁との間の各隙間のうち、上記の傾斜面が面する側の隙間が反対側の隙間よりも大きくなる。この結果、上記の反対側の隙間の大きさを維持して、上記の傾斜面が面する側の隙間を、接着剤が十分に流動できる大きさに確保することができる。
【００１３】
また、この発明の態様として、前記係合壁は、前記係合壁における両側の側面の各々と先端部との間の各連接部分のうち、一方の連接部分が、他方の連接部分よりも相対的に凹んだ傾斜面に形成されてもよい。  
なお、上記の傾斜面は、平面であっても湾曲面であってもよい。
【００１４】
この発明により、係合溝と係合壁との間の隙間全体のうち、上記の他方の連接部分（即ち相対的に凹んでいない連接部分）付近の隙間の大きさを維持して、上記の一方の連接部分（即ち傾斜面に形成された連接部分）付近の隙間を、接着剤が十分に流動できる大きさに確保することができる。
【００１５】
また、この発明の態様として、前記傾斜面の先端部は、前記係合壁の厚さ方向の中心よりも、前記他方の連接部分の側に配置されてもよい。  
なお、傾斜面の先端部とは、係合壁の先端部側及び基端部側のうち、先端部側の端部である。  
この発明により、上記の傾斜面と係合溝との間の隙間をより広く確保することができ、接着剤の流動性をより向上させることができる。
【００１６】
また、この発明の態様として、前記係合壁は、前記係合溝の両側の側面のうち前記傾斜面に面する側面の側に傾斜又は位置ずれしていてもよい。  
この発明により、係合壁が、前記係合溝の両側の側面のうち前記傾斜面に面する側面の側に傾いていても、上記の傾斜面によって、係合溝と係合壁との間の隙間のうち、係合壁が傾斜又は位置ずれした側の隙間を、接着剤が十分に流動できる大きさに確保することができる。
【００１７】
また、この発明の態様として、前記係合溝の両側の側面の各々の先端部は、互いに異なる高さに形成されてもよい。  
この発明により、係合溝の両側の側面のうち、係合溝に充填された接着剤がはみ出さない側の側面の高さを維持して、係合溝に充填された接着剤がはみ出し易い側の側面の高さを、接着剤がはみ出さない高さに確保することができる。
【００１８】
また、この発明の態様として、前記第１分割ケースの前記周縁において、前記係合溝よりも外側の外側部分及び内側の内側部分の各々の高さは、互いに異なり、前記係合壁は、前記第２分割ケースにおいて、前記第１分割ケースの前記周縁に対応する対応部分に設けられ、前記第２分割ケースの前記対応部分において、前記係合壁よりも外側の外側部分及び内側の内側部分の各々の高さは、前記第１分割ケースの前記外側部分及び前記内側部分の各々の高さに応じて互いに異なってもよい。
【００１９】
この発明により、第１分割ケースの周縁において係合溝よりも外側の外側部分及び内側の内側部分の各々の高さが互いに異なる場合（即ち、係合溝の両側の側面の各々の先端部の高さが互いに異なる場合）、その異なりに応じて、第２分割ケースの対応部分において係合壁よりも外側の外側部分及び内側の内側部分の各々の高さが互いに異なるため、第１分割ケースと第２分割ケースとの合わせ目の間隔が大きくなり過ぎることを抑制することができる。
【発明の効果】
【００２０】
この発明によれば、係合溝と係合壁との間に接着剤が充填される回路基板収容ケースにおいて、接着剤の偏在を抑制すると共に、回路基板収容ケースの合わせ目からの接着剤のはみ出しを抑制する回路基板収容ケースを提供することにある。
【図面の簡単な説明】
【００２１】
【図１】本発明の実施形態に係る回路基板収容ケースを示す斜視図。
【図２】回路基板収容ケースを示す分解斜視図。
【図３】（ａ）は蓋体を裏側から見た斜視図、（ｂ）はケース本体を開口部側から見た斜視図。
【図４】図１のＡ−Ａ断面図。
【図５】図４の範囲Ｗを示す拡大図。
【発明を実施するための形態】
【００２２】
この発明の一実施形態を以下図面と共に説明する。  
図１〜図５を参照して、この実施形態に係る回路基板収容ケース１について説明する。なお、図４では、作図上の都合により、後述の回路基板３及び電磁シールド部材４は図示省略されている。
【００２３】
＜全体構成＞  
図１及び図２に示すように、回路基板収容ケース１は、各種機能を構成する回路部品が実装された回路基板３が収容可能な例えば樹脂製のケースであり、回路基板３が収容された状態で、例えば、車両の所定部位に固定されて用いられる。
【００２４】
この実施形態では、回路基板収容ケース１には、例えば底面視矩形の回路基板３と、回路基板３を電磁波から遮蔽する例えば底面視矩形の底浅皿状の電磁シールド部材４とが収容される。回路基板３には、上記の各種機能として、電波を対象物に向けて発射しその反射波を測定することで、対象物までの距離や方向を測る近距離レーダーを構成する回路部品が実施可能である。
【００２５】
回路基板収容ケース１は、開口部５ａを有する例えば樹脂製のケース本体５（第１分割ケース）と、ケース本体５の開口部５ａを閉塞する例えば樹脂製の蓋体６（第２分割ケース）とを備えている。
【００２６】
図３（ｂ）及び図４に示すように、ケース本体５は、例えば、底面視矩形で一面が開放した底浅の箱状に形成されている。より詳細には、ケース本体５は、底面視矩形の板状の底部５１と、底部５１の周縁に沿って立設された周壁部５２と、周壁部５２の外周面に設けられ、車両の所定部位に締結具（例えばネジ）で固定される複数（例えば３つ）の固定部５３と、周壁部５２の外周面に設けられ、外部からの相手コネクタが接続されるコネクタ部５４とを備えている。コネクタ部５４は、ケース本体５の内部に収容された回路基板３と電気的に接続され、コネクタ部５４に接続された相手コネクタと回路基板３とを電気的に接続する。
【００２７】
周壁部５２の先端面（即ち周壁部５２の立設方向の端面）には、蓋体６の後述の係合壁６５が挿入される係合溝５５が、周壁部５２の周方向全体に渡って設けられている。係合溝５５には、接着剤７が充填される（図５参照）。この接着剤７によって、ケース本体５と蓋体６とが互いに固定されると共にケース本体５と蓋体６との間の合わせ目が封止される。
【００２８】
ケース本体５では、周壁部５２と底部５１とによって、回路基板３が収容される収容凹部が構成され、この収容凹部の開口部が開口部５ａになっている。底部５１の内側主面には、回路基板３及び電磁シールド部材４を固定するための締結具（例えばネジ）が締結される複数のボス部５６が立設されている。回路基板３及び電磁シールド部材４は、互いに重ねられた状態でケース本体５の内部（即ち収容凹部の内部）に収容され、締結具（例えばネジ）で各ボス部５６に共締めで締結されることで、底部５１に固定される。
【００２９】
図３（ａ）及び図４に示すように、蓋体６は、例えば、底面視矩形の底浅の皿状に形成されている。より詳細には、蓋体６は、底面視矩形の板状の底部６１と、底部６１の周縁に沿って立設された周壁部６２とを備えている。周壁部６２の先端面（即ち周壁部６２の立設方向の端面）には、ケース本体５の係合溝５５に挿入される係合壁６５が、周壁部６２の周方向全体に渡って立設されている。
【００３０】
図４に示すように、ケース本体５と蓋体６とが互いに組み付けられた状態では、蓋体６がケース本体５の開口部５ａを閉塞すると共に、蓋体６の周壁部６２の先端面がケース本体５の先端面に突き合わされ、蓋体６の係合壁６５がケース本体５の係合溝５５に挿入される。この挿入状態では、係合溝５５と係合壁６５との間に隙間Ｓ（図５参照）が確保され、その隙間Ｓ全体に、係合溝５５に充填された接着剤７が行き渡る。この結果、接着剤７によって、ケース本体５と蓋体６とが互いに固定されると共に、ケース本体５と蓋体６との合わせ目が封止される。
【００３１】
＜係合溝５５及び係合壁６５＞  
図５を参照して、係合溝５５及び係合壁６５について詳しく説明する。  
上述のように、ケース本体５の周壁部５２の例えば平坦な先端面には、係合溝５５が設けられ、蓋体６の周壁部６２の例えば平坦な先端面には、係合溝５５に挿入される係合壁６５が立設されている。
【００３２】
この回路基板収容ケース１では、係合壁６５の立設方向Ｌ１が、係合溝５５に対する係合壁６５の挿入方向Ｌ２に対して、係合壁６５の両側の側面（即ち外側側面６５ａ及び内側側面６５ｂ）のうちの一方の側面の側に傾いていた場合でも、係合溝５５に充填された接着剤７が、係合溝５５と係合壁６５との間の隙間Ｓ全体に（即ち係合壁６５が傾いた側とは反対側だけでなく係合壁６５が傾いた側にも）行き渡るように、係合壁６５が形成されている。  
以下の説明では、一例として、係合壁６５の立設方向Ｌ１が、挿入方向Ｌ２に対して、係合壁６５の内側側面６５ｂの側に傾いていた場合を例に挙げて説明する。
【００３３】
まず、係合溝５５について説明する。係合溝５５の周方向断面形状（即ち周方向に直交する断面の断面形状）は、略Ｕ字形状である。即ち、係合溝５５において、両側の側面（即ち外側側面５５ａ及び内側側面５５ｂ）の各々と底部５５ｃとの間の各連接部分は、例えば円弧状に面取りされて形成されている。この実施形態では、それら各連接部分は、円弧状に面取りされているが、凹角状に尖っていてもよい。
【００３４】
次に、係合壁６５について説明する。係合壁６５の周方向断面形状（即ち周方向に直交する断面の断面形状）は、その中心線Ｌ３の外側と内側とで非対称である。なお、中心線Ｌ３は、係合壁６５の厚さの中心を通り、係合壁６５の立設方向Ｌ１に平行な直線である。
【００３５】
より詳細には、係合壁６５は、係合壁６５において両側の側面６５ａ，６５ｂの各々と先端部６５ｃとの間の各連接部分６５ｄ，６５ｅのうち、一方の連接部分（即ち係合壁６５が傾いた側の連接部分）６５ｄが、他方の連接部分６５ｅよりも相対的に凹むように面取りされた傾斜面に形成されている。以後、傾斜面６５ｄとも記載する。傾斜面６５ｄは、係合壁６５の先端部６５ｃに向かって係合壁６５の内側側面６５ｂから外側側面６５ａに傾斜している。
【００３６】
この実施形態では、一方の連接部分（即ち傾斜面）６５ｄは、例えば、平面状に形成され、他方の連接部分６５ｅは、例えば、凸曲面状に面取りされて形成されている。なお、一方の連接部分６５ｄは、曲面状であってもよく、他方の連接部分６５ｅは、凸角状に尖っていてもよい。
【００３７】
傾斜面６５ｄの先端部（即ち係合壁６５の先端部６５ｃ側の端部）６５ｄ１は、例えば、中心線Ｌ３よりも他方の連接部分６５ｅの側に配置されている。傾斜面６５ｄの基端部６５ｄ２（即ち係合壁６５の内側側面６５ｂの先端部６５ｂ１）は、例えば、係合壁６５の外側側面６５ａの先端部６５ａ１よりも係合壁６５の基端部側（即ち立設方向Ｌ１の反対側）に配置されている。
【００３８】
即ち、この実施形態では、係合壁６５の両側の側面６５ａ，６５ｂの各々の先端部６５ａ１，６５ｂ１の高さが互いに異なり、それら各先端部６５ａ１，６５ｂ１の間に傾斜面６５ｄが連接されている。なお、係合壁６５の外側側面６５ａの先端部６５ａ１と傾斜面６５ｄとは、例えば円弧状の連接部分６５ｅを介して間接的に連接され、係合壁６５の内側側面６５ｂの先端部６５ｂ１と傾斜面６５ｄとは、直接連接されている。
【００３９】
また、係合壁６５の両側の側面６５ａ，６５ｂの各々の先端部６５ａ１，６５ｂ１の高さが互いに異ならされたり、傾斜面６５ｄの先端部６５ｄ１が中心線Ｌ３よりも他方の連接部分６５ｅの側に配置されたりすることで、各連接部分６５ｄ，６５ｅの傾きが独立して調整されている。
【００４０】
また、傾斜面６５ｄの基端部６５ｄ２は、例えば、係合壁６５の高さの中央付近に配置されている。なお、この実施形態では、係合壁６５の両側の側面６５ａ，６５ｂの各々の基端部６５ａ２，６５ｂ２の高さが互いに異なるが、この場合の係合壁６５の高さは、係合壁６５の両側の側面６５ａ，６５ｂの各々の基端部６５ａ２，６５ｂ２のうち、相対的に立設方向Ｌ１の反対側にずれた基端部６５ｂ２から係合壁６５の先端部６５ｃまでの立設方向Ｌ１に沿った長さでる。
【００４１】
係合溝５５の説明に戻って、この実施形態では、係合溝５５の両側の側面５５ａ，５５ｂのうち、一方の側面（即ち係合壁６５が傾いた側の側面、即ち内側側面）５５ｂの先端部５５ｂ１は、他方の側面（即ち外側側面）５５ａの先端部５５ａ１よりも高く形成されている。換言すれば、ケース本体５の周壁部５２の先端面において、係合溝５５よりも外側の外側部分５２ａ及び内側の内側部分５２ｂのうち、一方の部分（即ち係合壁６５が傾いた側の部分、即ち内側部分）５２ｂは、他方の部分（即ち外側部分）５２ａよりも高く形成されている。
【００４２】
これに伴って、係合壁６５の両側の側面６５ａ，６５ｂのうち、一方の側面（即ち係合壁６５が傾いた側の側面、即ち内側側面）６５ｂの基端部６５ｂ２は、他方の側面（即ち外側側面）６５ａの基端部６５ａ２よりも高く形成されている。換言すれば、蓋体６の周壁部６２の先端面において、係合壁６５よりも外側の外側部分６２ａ及び内側の内側部分６２ｂのうち、一方の部分（即ち係合壁６５が傾いた側の部分、即ち内側部分）６２ｂが他方の部分（即ち外側部分）６２ａよりも高く形成されている。
【００４３】
なお、この実施形態では、係合溝５５の外側側面５５ａ（内側側面５５ｂ）の先端部５５ａ１（５５ｂ１）側は、例えば、係合溝５５の外周側（内周側）に曲がっており、外側側面５５ａ（内側側面５５ｂ）の先端部５５ａ１（５５ｂ１）を、周壁部５２の例えば平坦な先端面の外側部分５２ａ（内側部分５２ｂ）に接続された部分としている。
【００４４】
また、この実施形態では、係合壁６５の外側側面６５ａ（内側側面６５ｂ）の基端部６５ａ２，６５ｂ２側は、係合壁６５の外周側（内周側）に曲がっており、外側側面６５ａ（内側側面６５ｂ）の基端部６５ａ２（６５ｂ２）を、周壁部６２の例えば平坦な先端面の外側部分６２ａ（内側部分６２ｂ）に接続された部分としている。また、係合壁６５の外側側面６５ａ（内側側面６５ｂ）の先端部６５ａ１（６５ｂ１）を、連接部分６５ｅ（６５ｄ）に接続された部分としている。
【００４５】
次に、ケース本体５と蓋体６との組付方法を詳しく説明する。  
まず、ケース本体５の係合溝５５に接着剤７が適量充填される。なお、適量とは、接着剤７が係合溝５５と係合壁６５との間の隙間Ｓ全体に行き渡った状態でケース本体５と蓋体６との合わせ目からはみ出さない量である。
【００４６】
そして、蓋体６がケース本体５の開口部５ａの正面に対向配置された状態で、その対向方向Ｌ５（即ち挿入方向Ｌ２）に沿って、蓋体６がケース本体５の開口部５ａに相対的に接近され（図２参照）、蓋体６の周壁部６２の先端面とケース本体５の周壁部５２の先端面とが突き合わされ、蓋体６の係合壁６５がケース本体５の係合溝５５に挿入される（図４及び図５）。これにより、蓋体６がケース本体５の開口部５ａに組み付けられる。
【００４７】
この組み付けの際、この実施形態では、係合壁６５は、その立設方向Ｌ１が挿入方向Ｌ２に対して係合溝５５の内側側面５５ｂの側に傾いた状態で、係合溝５５に挿入されるが、係合壁６５の内側の連接部分６５ｄが傾斜面であるため、係合壁６５の連接部分（即ち傾斜面）６５ｄと係合溝５５の内側側面５５ｂとの隙間Ｓｃが十分な大きさ（即ち接着剤７が流動できる大きさ）に確保された状態で、係合壁６５が係合溝５５に挿入される。従って、係合溝５５の両側の側面５５ａ，５５ｂの各々と係合壁６５との各隙間が十分な大きさに確保された状態で、係合壁６５が係合溝５５に挿入される。
【００４８】
この結果、係合溝５５への係合壁６５の挿入に伴って、係合溝５５に充填された接着剤７が、係合溝５５と係合壁６５との間の隙間Ｓ全体に（即ち係合壁６５が傾いた側とは反対側だけでなく係合壁６５が傾いた側にも）行き渡る。
【００４９】
また、この実施形態では、係合壁６５の立設方向Ｌ１が係合溝５５の内側側面５５ｂの側に傾いているため、係合溝５５と係合壁６５との間の隙間Ｓ全体のうち、係合壁６５の内側側面６５ｂに面する隙間Ｓｂの方が係合壁６５の外側側面６５ａに面する隙間Ｓａよりも相対的に狭い（即ち隙間の容積が小さい）。このため、係合壁６５の内側側面６５ｂに面する隙間Ｓｂの方が係合壁６５の外側側面６５ａに面する隙間Ｓａよりも、接着剤７が高い位置まで行き渡る。しかし、この実施形態では、係合溝５５の内側側面５５ｂの先端部５５ｂ１の高さが係合溝５５の外側側面５５ａの先端部５５ａ１の高さよりも高いため、接着剤７が係合溝５５の内側側面５５ｂの側の合わせ目（即ち蓋体６とケース本体５との合わせ目）からはみ出すことが抑制される。
【００５０】
＜主要な効果＞  
以上、この実施形態に係る回路基板収容ケース１によれば、開口部５ａを有するケース本体５（第１分割ケース）と、ケース本体５の開口部５ａを閉塞する蓋体６（第２分割ケース）とが備えられ、ケース本体５には、開口部５ａの周縁（即ち周壁部５２の先端面）に沿って係合溝５５が設けられ、蓋体６には、係合溝５５に挿入される係合壁６５が立設され、係合壁６５の周方向断面形状は、係合壁６５の厚さの中心を通る中心線Ｌ３の外側と内側とで非対称である。
【００５１】
この構成により、係合壁６５の周方向断面形状は、係合壁６５の厚さの中心を通る中心線Ｌ３の外側と内側とで非対称であるため、係合壁６５の周方向断面形状において、中心線Ｌ３の外側及び内側の各々の断面形状部分を互いに異なる形に形成でき、これにより、係合溝５５と係合壁６５との間の隙間Ｓにおいて、中心線Ｌ３よりも外側及び内側の各々の隙間の大きさを、互いに独立に調整することができる。
【００５２】
従って、上記の中心線Ｌ３よりも外側の隙間及び内側の隙間のうち、接着剤７が相対的に流動し易い方の隙間の大きさを維持して、接着剤７が相対的に流動し難い方の隙間を、接着剤７が十分に流動できる大きさに調整することができる。
【００５３】
この結果、係合壁６５が係合溝５５に挿入されたとき、係合溝５５に充填された接着剤７を、上記の中心線Ｌ３よりも外側の隙間及び内側の隙間の両方に行き渡らせることができる。換言すれば、上記の中心線Ｌ３よりも外側の隙間及び内側の隙間のうちの一方の隙間に接着剤７が偏在することを抑制でき、当該一方の隙間から外部に接着剤７がはみ出すことを抑制することができる。
【００５４】
また、上記のように、係合壁６５の周方向断面形状における中心線Ｌ３よりも外側及び内側の各々の断面形状部分のうち、一方側の断面形状部分だけを独立して適切な形に形成できるため、係合壁６５の強度の低下を抑制することができる。
【００５５】
また、係合壁６５は、互いに先端部６５ａ１，６５ｂ１の高さが異なる両側の側面６５ａ，６５ｂと、両側の側面６５ａ，６５ｂの各々の先端部６５ａ１，６５ｂ１の間に連接された傾斜面６５ｄとを有しているため、各先端部６５ａ１，６５ｂ１の間に連接された傾斜面６５ｄは、各先端部６５ａ１，６５ｂ１のうち、高い方の先端部側から低い方の先端部側に傾斜している。  
【００５６】
従って、係合壁６５が係合溝５５に挿入されたとき、係合溝５５の両側の側面５５ａ，５５ｂの各々と係合壁６５との間の各隙間のうち、上記の傾斜面６５ｄが面する側の隙間が反対側の隙間よりも大きくなる。この結果、上記の反対側の隙間の大きさを維持して、上記の傾斜面６５ｄが面する側の隙間を、接着剤７が十分に流動できる大きさに確保することができる。
【００５７】
また、係合壁６５は、係合壁６５における先端部６５ｃと両側の側面６５ａ，６５ｂの各々との間の各連接部分６５ｅ，６５ｄのうち、一方の連接部分（例えば６５ｄ）が、他方の連接部分（例えば６５ｅ）よりも相対的に凹んだ傾斜面に形成されているため、係合溝５５と係合壁６５との間の隙間全体のうち、上記の他方の連接部分（即ち相対的に凹んでいない連接部分）６５ｅ付近の隙間の大きさを維持して、上記の一方の連接部分（即ち傾斜面に形成された連接部分）６５ｄ付近の隙間を、接着剤７が十分に流動できる大きさに調整することができる。
【００５８】
また、傾斜面６５ｄの先端部６５ｄ１は、係合壁６５の厚さ方向の中心よりも、他方の連接部分６５ｅの側に配置されているため、傾斜面６５ｄと係合溝５５との間の隙間をより広く確保することができ、接着剤７の流動性をより向上させることができる。
【００５９】
また、係合壁６５は、係合溝５５の両側の側面５５ａ，５５ｂのうち傾斜面６５ｄに面する側面５５ｂの側に傾斜しているが、このような場合でも、傾斜面６５ｄによって、係合溝５５と係合壁６５との間の隙間全体のうち係合壁６５が傾斜した側の隙間を、接着剤７が十分に流動できる大きさに調整することができる。
【００６０】
また、係合溝５５の両側の側面５５ａ，５５ｂの各々の先端部５５ａ１，５５ｂ１は、互いに異なる高さに形成されているため、係合溝５５の両側の側面５５ａ，５５ｂのうち、係合溝５５に充填された接着剤７がはみ出さない側（例えば係合壁６５が傾斜する側とは反対側）の側面５５ａの先端部５５ａ１の高さを維持して、係合溝５５に充填された接着剤７がはみ出し易い側（例えば係合壁６５が傾斜する側）の側面５５ｂの先端部５５ｂ１の高さを、接着剤７がはみ出さない高さに調整することができる。
【００６１】
また、ケース本体５（第１分割ケース）の周縁（即ち周壁部５２の先端面）において、係合溝５５よりも外側の外側部分５２ａ及び内側の内側部分５２ｂの各々の高さは、互いに異なり、係合壁６５は、蓋体６（第２分割ケース）において、ケース本体５の周縁に対応する対応部分（即ち周壁部６２の先端面）に設けられ、蓋体６の上記の対応部分において係合壁６５よりも外側の外側部分６２ａ及び内側の内側部分６２ｂの各々の高さは、ケース本体５の外側部分５２ａ及び内側部分５２ｂの各々の高さに応じて互いに異なっている。
【００６２】
この構成により、ケース本体５の周縁において係合溝５５よりも外側の外側部分５２ａ及び内側の内側部分５２ｂの各々の高さが互いに異なる場合（即ち、係合溝５５の両側の側面５５ａ，５５ｂの各々の先端部５５ａ１，５５ｂ１の高さが互いに異なる場合）、その異なりに応じて、蓋体６の上記の対応部分において係合壁６５よりも外側の部分６２ａ及び内側の内側部分６２ｂの各々の高さが互いに異なるため、ケース本体５と蓋体６との合わせ目の間隔が大きくなり過ぎることを抑制することができる。
【００６３】
＜変形例＞  
上記の実施形態では、係合壁６５の立設方向Ｌ１が係合溝５５の内側側面５５ｂの側に傾いている場合を例に挙げて説明したが、係合壁６５の立設方向Ｌ１が係合溝５５の外側側面５５ａの側に傾いている場合は、連接部分６５ｄの代わりに連接部分６５ｅに傾斜面が設けられる。この場合も、上記の実施形態と同様の効果を得る。
【００６４】
また、上記の実施形態では、係合壁６５の立設方向Ｌ１が傾いている場合を例に挙げて説明したが、係合壁６５の立設方向Ｌ１が傾いている代わりに、係合壁６５が、係合溝５５の幅方向の中心から係合壁６５の外側側面６５ａの側又は内側側面６５ｂの側に位置ずれしている場合は、各連接部分６５ｄ、６５ｅのうち、係合壁６５が位置ずれている側の連接部分に傾斜面が設けられる。この場合も、上記の実施形態と同様の効果を得る。
【００６５】
この発明は、上述の実施形態及び変形例の構成のみに限定されるものではなく、上述の実施形態及び変形例の組み合わせも含む。
【符号の説明】
【００６６】
１…回路基板収容ケース
５…ケース本体（第１分割ケース）
５ａ…開口部
６…蓋体（第２分割ケース）
５２ａ…ケース本体の周縁の外側部分
５２ｂ…ケース本体の周縁の内側部分
５５…係合溝
５５ａ，５５ｂ…側面
５５ａ１，５５ｂ１…側面の先端部
６５…係合壁
６５ａ，６５ｂ…側面
６５ｃ…先端部
６５ｄ…連接部分（傾斜面）
６５ｅ…連接部分
６５ａ１，６５ｂ１…側面の先端部
６２ａ…蓋体の対応部分の外側部分
６２ｂ…蓋体の対応部分の内側部分
Ｌ３…中心線
【図１】
2018116953.tif 000003
【図２】
2018116953.tif 000004
【図３】
2018116953.tif 000005
【図４】
2018116953.tif 000006
【図５】
2018116953.tif 000007